(57)【特許請求の範囲】
【請求項１】
後枠部と、その後枠部の前側にヒンジによって結合された前枠部と、その前枠部に固定されたベ−ス枠と、そのベ−ス枠に取外し可能に結合された裏枠を備え、
前記ベ−ス枠と、前記裏枠との間に挟み込まれた状態で設置された遊技盤の裏側には遊技盤を通り抜けて遊技盤の裏面を伝って転落するセ−フ球を誘導するセ−フ球誘導流路が形成され、前記裏枠には、遊技者に払い出される賞品球を誘導する賞品球払出流路が設けられたパチンコ機であって、
前記裏枠には前記セ−フ球誘導流路から転落したセ−フ球を集めて誘導するセ−フ球集合通路が形成され、
前記セ−フ球集合通路の後側の通路壁をなす前記裏枠の後壁板の裏面には、裏カバー板が取り外し可能に取り付けられ、
前記裏カバー板には、前記裏枠の後壁板を分離面とし、かつ前記賞品球払出流路から送り出された賞品球を受入れて誘導する賞品球誘導通路と、球抜き時に賞品球を誘導する球抜き通路と、がそれぞれ形成される一方、
前記ベース枠には、前記裏カバー板の賞品球誘導通路を通過した賞品球を前記前枠部の前側下部に取付けられた下皿に導く賞品球排出通路と、前記裏カバー板の球抜き通路を通過した球、及び前記セ−フ球集合通路を通過した球を機外に排出する遊技球排出通路と、がそれぞれ設けられ、
前記遊技盤の下部には、その遊技盤面に打ち出されて落下した球が流入するアウト口が形成されるとともに、同遊技盤の下部の裏面には、前記アウト口に流入したアウト球を、前記ベース枠の遊技球排出通路へ誘導するアウト球誘導溝が凹設され、
前記賞品球払出流路から送り出された賞品球は、前記裏カバー板の賞品球誘導通路を通過した後、前記ベース枠の賞品球排出通路に導かれて下皿に流れ、
前記遊技盤を通り抜けて遊技盤の裏面を伝って転落するセ−フ球は、前記セ−フ球誘導流路を通って前記裏枠のセ−フ球集合通路に集められた後、前記ベース枠の遊技球排出通路に導かれて機外に排出され、
前記遊技盤の下部のアウト口に流入したアウト球は、前記遊技盤の下部裏面のアウト球誘導溝を通過した後、前記ベース枠の遊技球排出通路に導かれて機外に排出され、
前記球抜き時に賞品球は、前記裏カバー板の球抜き通路を通過した後、前記ベース枠の遊技球排出通路に導かれて機外に排出される構成にしてあることを特徴とするパチンコ機。
【発明の詳細な説明】
【０００１】
【産業上の利用分野】
この発明はパチンコ機に関する。
【０００２】
【従来の技術】
従来の技術としては例えば実開平６−１４１号公報がある。この公報には遊技盤がセットされる収容保持枠の下部にアウト球通出溝を形成し、セット板の下部にアウト球排出通路に連通されたセ−フ球集合排出領域を形成し、セ−フ球集合排出領域の一部およびアウト球通出溝を隔壁部材によって閉覆したパチンコ機の遊技球通路が開示されている。
【０００３】
【発明が解決しようとする課題】
本発明はパチンコ機において、遊技盤の裏面から転落したセ−フ球、および、遊技者に払い出される賞品球をその相互干渉を避けて円滑に処理することを課題とするものである。
【０００４】
【課題を解決するための手段】
請求項１の発明に係るパチンコ機は、後枠部と、その後枠部の前側にヒンジによって結合された前枠部と、その前枠部に固定されたベ−ス枠と、そのベ−ス枠に取外し可能に結合された裏枠を備え、
前記ベ−ス枠と、前記裏枠との間に挟み込まれた状態で設置された遊技盤の裏側には遊技盤を通り抜けて遊技盤の裏面を伝って転落するセ−フ球を誘導するセ−フ球誘導流路が形成され、前記裏枠には、遊技者に払い出される賞品球を誘導する賞品球払出流路が形成されたパチンコ機であって、
前記裏枠には前記セ−フ球誘導流路から転落したセ−フ球を集めて誘導するセ−フ球集合通路が形成され、
前記セ−フ球集合通路の後側の通路壁をなす前記裏枠の後壁板の裏面には、裏カバー板が取り外し可能に取り付けられ、
前記裏カバー板には、前記裏枠の後壁板を分離面とし、かつ前記賞品球払出流路から送り出された賞品球を受入れて誘導する賞品球誘導通路と、球抜き時に賞品球を誘導する球抜き通路と、がそれぞれ形成される一方、
前記ベース枠には、前記裏カバー板の賞品球誘導通路を通過した賞品球を前記前枠部の前側下部に取付けられた下皿に導く賞品球排出通路と、前記裏カバー板の球抜き通路を通過した球、及び前記セ−フ球集合通路を通過した球を機外に排出する遊技球排出通路と、がそれぞれ設けられ、
前記遊技盤の下部には、その遊技盤面に打ち出されて落下した球が流入するアウト口が形成されるとともに、同遊技盤の下部の裏面には、前記アウト口に流入したアウト球を、前記ベース枠の遊技球排出通路へ誘導するアウト球誘導溝が凹設され、
前記賞品球払出流路から送り出された賞品球は、前記裏カバー板の賞品球誘導通路を通過した後、前記ベース枠の賞品球排出通路に導かれて下皿に流れ、
前記遊技盤を通り抜けて遊技盤の裏面を伝って転落するセ−フ球は、前記セ−フ球誘導流路を通って前記裏枠のセ−フ球集合通路に集められた後、前記ベース枠の遊技球排出通路に導かれて機外に排出され、
前記遊技盤の下部のアウト口に流入したアウト球は、前記遊技盤の下部裏面のアウト球誘導溝を通過した後、前記ベース枠の遊技球排出通路に導かれて機外に排出され、
前記球抜き時に賞品球は、前記裏カバー板の球抜き通路を通過した後、前記ベース枠の遊技球排出通路に導かれて機外に排出される構成にしてあることを特徴とする。
【０００５】
【作用】
請求項１の発明に係るパチンコ機では、賞品球払出流路から送り出された賞品球は、裏カバー板の賞品球誘導通路を通過した後、ベース枠の賞品球排出通路に導かれて下皿に流れる。
また、遊技盤を通り抜けて遊技盤の裏面を伝って転落するセ−フ球は、セ−フ球誘導流路を通って裏枠のセ−フ球集合通路に集められた後、ベース枠の遊技球排出通路に導かれて機外に排出される。
遊技盤の下部のアウト口に流入したアウト球は、遊技盤の下部裏面のアウト球誘導溝を通過した後、裏枠内部を通ることなく、ベース枠の遊技球排出通路に導かれて機外に排出される。
また、球抜き時において、賞品球は、裏カバー板の球抜き通路を通過した後、ベース枠の遊技球排出通路に導かれて機外に排出される。
【０００６】
【発明の効果】
この発明に係るパチンコ機によれば、裏枠に形成されたセ−フ球集合通路の後壁板を分離面として賞品球誘導通路を形成する裏カバー板を取り外し可能に取り付けることによって、遊技盤の裏側から転落したセ−フ球と、賞品球とを、前後方向に分離させて相互干渉を無くした状態で的確かつ円滑に処理することができる。
しかも、賞品球誘導通路で球詰まり等の異常が発生したときには、裏カバ−板を取外すことによってその異常を簡単に修復することができる。
また、裏カバ−板に球抜き通路が形成されるため、裏カバ−板の球抜き通路で球詰まり等の異常が発生したときには、裏カバ−板を取外すことによってその異常を簡単に修復することができる。
【０００７】
【実施例】
次に、本発明の１実施例を図面にしたがって説明する。
図３において、パチンコ機の木枠１は定位置に立設される角筒状の後枠部１ａと、この後枠部１ａにヒンジによって前方へ回動可能に結合されて後枠部１ａの前側に設置された方形枠状の前枠部１ｂとによって形成されている。
【０００８】
図１において、木枠１の前枠部１ｂの前面に取付けられた窓枠３にはガラスが枠内に嵌め込まれた金枠４と、上皿口６ａを有する上皿６が前面に取付けられた前板５とが上下に隣接してそれぞれ前方への回動可能に結合されている。前板５の裏面には上皿６内の遊技球を球発射起点へ１個づつ送り出す球送り機構が取付けられている。
【０００９】
木枠１の前枠部１ｂの前面の下端部には下皿口７ａを有する下皿７が取付けられるとともに、前枠部１ｂの下端部には発射ハンドル８が回動可能に軸支されている。
【００１０】
木枠１の前枠部１ｂの裏面には上部の第１枠部材９ａと下部の第２枠部材９ｂとが分離可能に結合されて形成された合成樹脂製のベ−ス枠９がビスによって固定されている。
【００１１】
図４〜図６において、ベ−ス枠９にはその下端部に配設されて木枠１の前枠部１ｂの下端部裏面にビス止めされたセット板１０と、このセット板１０の上方に配設されて木枠１の前枠部１ｂの開口部とほぼ等しい形状の開口部が開口された枠部１１とが形成され、この枠部１１の開口部内には遊技盤１２が後方への取出し可能に嵌め込まれている。
【００１２】
ベ−ス枠９の枠部１１の上枠部１１ａ，下枠部１１ｂおよび一方の側枠部１１ｃの後端面には回動操作可能な係止部材１３がそれぞれ取付けられ、この各係止部材１３には回動動作によって枠内外へ出没する１対の係止部１３ａと、指先を差し込むための有底円筒状の操作部１３ｂとが形成され、枠部１１の他方の側枠部１１ｄの後端面には上下１対の軸受け１４が取付けられている。
【００１３】
枠部１１の下枠部１１ｂには上皿６の上皿口６ａの後側に設置されて賞品球を上皿口６ａに導入する前賞品球口２０が開設されている。
【００１４】
ベ−ス枠９のセット板１０の前面は遊技盤面１２ａにほぼ整合され、このセット板１０の前面には上皿６内から送り出された遊技球を球発射起点となる基端部で受止めて発射球を遊技盤面へ案内する発射レ−ル１５が先上り姿勢で固定され、また、セット板１０には発射レ−ル１５上の遊技球を遊技盤面へ向けて発射させる発射機構１６が取付けられている。
【００１５】
セット板１０の前面の一端付近にはセット板１０に取付けられて効果音等を発するスピ−カ−（電磁部品）１７が内部に収容された円筒状のスピ−カ−収容部２１が突設され、このスピ−カ−収容部２１の上面にはスピ−カ−１７上へ転落したこぼれ球を両側方の斜め下方へ誘導する球受け面２１ａが円弧面状に形成されている。
【００１６】
セット板１０の前側にはセット板１０に結合されてスピ−カ−１７の前面およびその両側方をカバ−するスピ−カ−カバ−樋１８が発射レ−ル１５の側方に隣接して設置されている。
【００１７】
スピ−カ−カバ−樋１８の内端付近には上面が発射レ−ル１５側へ先下り状に傾斜したファ−ル球誘導部１８ａが形成され、このファ−ル球誘導部１８ａと発射レ−ル１５の先端部との間には遊技盤面へ打出されて逆流したファ−ル球が通り抜けるファ−ル球通し口１９が形成されている。
【００１８】
セット板１０の前側には内方へ先下り状に傾斜した状態でスピ−カ−収納部２１の下方に設置されて球受け面２１ａに衝突して転落したこぼれ球を内方へ案内する第１こぼれ球誘導片２２と、内方へ先下り状に傾斜した状態で発射レ−ル１５の下方に設置されて、こぼれ球を内方へ誘導する第２こぼれ球誘導片２３とが形成されている。
【００１９】
セット板１０の裏側にはその中央部付近に外方へ先下り状に傾斜した状態で設置されたアウト球誘導片２４と、このアウト球誘導片２４の外方に内方へ先下り状に傾斜した状態で間隙を隔てて設置されたセ−フ球誘導片２５とが連接されている。
【００２０】
セット板１０の中央部付近には左右１対の垂直な側壁部２６ａと、この両側壁部２６ａの後端縁に連接された後壁部２６ｂと、両側壁部２６ａおよび後壁部２６ｂの下端縁に連接されて前下り状に形成された底壁部２６ｃとを有し、セット板１０の裏面に連接されてアウト球誘導樋２４の下方に設置された上方開放の賞品球集合樋２６が形成されている。
【００２１】
賞品球集合樋２６内の上下部にはそれぞれ賞品球集合樋２６の内壁面に連接されて互いに逆方向へ先下り状に傾斜した形状を有する上誘導片２６ｄおよび下誘導片２６ｅが設置され、上誘導片２６ｄの先端縁と一方の側壁部２６ａとの間、および下誘導片２６ｅの先端縁と他方の側壁部２６ａとの間にはそれぞれ間隙が形成されている。
【００２２】
賞品球集合樋２６内へ落入した賞品球は上誘導片２６ｄ上へ落下して上誘導片２６ｄを伝って転動し、次に、下誘導片２６ｅを伝って転動してから賞品球集合樋２６の底壁部２６ｃ上へ落下する。
【００２３】
従って、賞品球集合樋２６内へ落入した賞品球の落下衝撃を上下誘導片２６ｄ，２６ｅによって２段階で吸収して緩衝し、賞品球の落下衝撃による賞品球集合樋２６の破損を防止することができる。
【００２４】
賞品球集合樋２６の後壁部２６ｂにはこの賞品球集合樋２６内を上下誘導片２６ｄ，２６ｅによって誘導されて通り抜ける賞品球およびその通過状態を監視する適数個の第１の透視孔３１が開設されている。
【００２５】
従って、賞品球集合樋２６内で球詰まりが発生したときにこの球詰まりを第１の透視孔３１によって一見して発見することができるので、速座に球詰まりに対処することができる。
【００２６】
賞品球集合樋２６の下端付近の前側には賞品球集合樋２６の両側壁部２６ａの下端付近に連接された左右１対の側壁部と、底壁部２６ｃに連接されて前下り状に傾斜した底壁部とを有し、下皿７の下皿口７ａの後側に設置された払い出し球排出樋２７が形成されている。賞品球集合樋２６内へ落入した賞品球は賞品球集合樋２６内と賞品球払い出し樋２７内とにわたって形成された賞品球排出通路３２を通行して下皿口７ａへ誘導され、下皿口７ａを通り抜けて下皿７内に導入される。
【００２７】
また、発射レ−ル１５の先方のファ−ル球通し口１９に落入したファ−ル球は賞品球排出通路３２内に転落して下皿７内へ導入される。
【００２８】
賞品球集合樋２６の片側にはこの賞品球集合樋２６の一方の側壁部２６ａの下端縁付近に連接されてその側方へ横出された底壁部２８ａと、この底壁部２８ａの外端縁に連接されてアウト球誘導樋２４の先端部にそれぞれ連接された１対の垂直な側壁部２８ｂとを有し、セット板１０の裏面に連接された樋収納部２８が形成され、底壁部２８ａの上面には上面が後下り状に傾斜した複数個の突条２８ｃが並行状に凸設されている。
【００２９】
樋収納部２８内には左右１対の側壁部２９ａと、この両側壁部２９ａの後端縁に連接された後壁部２９ｂと、両側壁部２９ａおよび後壁部２９ｂの下端縁にそれぞれ連接されて前方へ前下り状に若干突出された底壁部２９ｃとを有し、賞品球集合樋２６の側方に隣設された遊技球集合樋２９が後方への取出し可能に嵌め込まれている。
【００３０】
遊技球集合樋２９内にはセ−フ球およびアウト球を集めてパチンコ機外へ誘導する遊技球排出通路３０が形成され、樋収納部２８内の下端には遊技球集合樋２９の下方に形成されて遊技球集合樋２９内へ落入したアウト球およびセ−フ球を後方へ誘導してパチンコ機外へ排出する遊技球排出口３３が開設されている。
【００３１】
アウト球誘導片２４の先端部から転がり落ちたアウト球およびセ−フ球誘導片２５の先端部から転がり落ちたセ−フ球は遊技球集合樋２９内へ落入し、遊技球排出口３３を通り抜けてパチンコ機外へ排出される。
【００３２】
遊技盤１２にはその遊技盤面１２ａに装着される各種役物を取付けるための適数個の取付け孔が開設され、役物の入賞口や始動口に入賞したセ−フ球は取付け孔に取付けられた役物内を通り抜けて遊技盤１２の前側から裏側へ転動する。
【００３３】
遊技盤１２の下端部の左右方向中央部には遊技盤面１２ａに打出されて入賞せずに落下したアウト球が落入するアウト口３６が開設されるとともに、このアウト口３６の下方で遊技盤１２の裏面下端部にはアウト口３６に落入したアウト球をアウト球誘導片２４の基端部上へ誘導するアウト球誘導溝３７が凹設されている。
【００３４】
遊技盤面へ打出された遊技球のうち、アウト口３６に落入したアウト球はアウト球誘導溝３７内を通ってアウト球誘導片２４上へ転がり落ち、さらに、アウト球誘導片２４の先端部上から転がり落ちて遊技球集合樋２９内へ落入する。
【００３５】
遊技盤１２の裏面には入賞口，始動口に落入して遊技盤１２を通り抜け、遊技盤１２の裏面を伝って転落するセ−フ球を集めて下方へ誘導するセ−フ球誘導流路３５が形成されている。
【００３６】
ベ−ス枠９に取外し可能で後方への回動可能に結合されてベ−ス枠９の枠部１１および遊技盤１２の後側に設置された合成樹脂製の裏枠４０において、この裏枠４０には図７に示すように開口部４０ａと、上枠部４０ｂと、下枠部４０ｃと左右の側枠部４０ｄ，４０ｅとが形成されている。
【００３７】
図７〜図１０において、裏枠４０の回動支点側の側枠部４０ｄの外側面にはベ−ス枠９の両軸受け１４にそれぞれ挿脱可能に挿入された上下１対の支軸４１が取付けられている。
【００３８】
裏枠４０の端縁部にはベ−ス枠９の各係止部材１３にそれぞれ対向して係合部４２が形成され、裏枠４０は各係止部材１３の係止部１３ａが係合部４２にそれぞれ係合して遊技盤１２がベ−ス枠９の枠部１１と裏枠４０との間に挟み込まれた状態でベ−ス枠９に固定されている。
【００３９】
裏枠４０の上枠部４０ａの裏面には賞品球を貯留する球タンク４３が取外し可能に取付けられるとともに、上枠部４０ａの裏面には側枠部４０ｄ側に向って先下り状に傾斜した状態で球タンク４３の下方に設置されたタンクレ−ル４４が結合されている。球タンク４３内から送り出された賞品球群は前後２列となってタンクレ−ル４４内を側枠部４０ｄ側へ転動する。
【００４０】
裏枠４０の側枠部４０ｄの裏面には賞品球の払い出しを制御する縦長状の賞品球払い出しユニット４５が取外し可能に取付けられている。
【００４１】
賞品球払い出しユニット４５のケ−ス体４６内の上部１にはタンクレ−ル４４上から送り込まれた賞品球を前後２列にして貯留する球貯留流路４７が形成されている。
【００４２】
ケ−ス体４６内の中央部付近にはモ−タによって回転駆動されて必要数の賞品球を送り出す球送り部材４８ａを有する球送り機構４８が装入されている。
【００４３】
ケ−ス体４６内の球送り機構４８の下方には球送り機構４８によって送り出された賞品球が前後２列となって流下する賞品球払出流路４９と、賞品球をパチンコ機外へ排出するときに賞品球が流下する球抜き流路５０とが形成されるとともに、球送り機構４８の若干下方には球送り機構４８内およびその上方に配列された賞品球を賞品球流路４９若しくは球抜き流路５０へ振り分ける振り分け弁５１が揺動操作可能に設置されている。
【００４４】
ケ−ス体４６内の下端にはセ−フ球を受止めて旋回移送してから放出する球切りカム５２ａを有し、セ−フ球の到来毎に球送り機構４８を起動させる払い出し起動機構５２が装入されている。
【００４５】
ケ−ス体４６の内側の側壁部４６ａの上端にはタンクレ−ル４４の先端から転がり落ちた賞品球を導入する球入口５３が開口され、側壁部４６ａの中央部の若干下方には賞品球流路４９を通り抜けた賞品球をケ−ス体４６外へ送り出す上球出口５４が開口され、側壁部４６ａの下端付近には球抜き流路５０を通り抜けた賞品球をケ−ス体４６外へ送り出す下球出口５５が開口されている。
【００４６】
ケ−ス体４６の下端には払い出し起動機構５２の球切りカム５２ａによって受止められるセ−フ球が通り抜けてから放出されるセ−フ球検出口５６が開口されている。
【００４７】
セ−フ球がセ−フ球検出口５６を通って球切りカム５２ａによって受止められて旋回移送されると、球送り機構４８が起動されて球送り部材４８ａが回転駆動され、必要個数の賞品球が球送り機構４８によって送り出される。
【００４８】
裏枠４０の下枠部４０ｂには遊技盤１２の裏面に押し当てられた状態で垂立された前壁板５８と、この前壁板５８の後方に１個のパチンコ球の通過が可能な間隙を隔てて垂立された後壁板５９とが前後並行状に形成されている。
【００４９】
下枠部４０ｂには前端縁が前壁板５８の前面に整合されて後端縁が後壁板５９の後面に整合され、ベ−ス枠９の前賞品球口２０の後側に隣設された後賞品球口５７が前賞品球口２０に突合わせ状に対向して開設されている。
【００５０】
下枠部４０ｂには前後壁板５８，５９にそれぞれ連接されて前壁板５８の横幅と等しい長さを有し、賞品球払い出しユニット４５の払い出し機構５２に向って先下り状に傾斜して設置された第１の樋板６０と、前後壁板５８，５９にそれぞれ連接されて第１の底板６０の長さの約半分の長さを有し、第１の樋板６０の傾斜方向と逆方向へ先下り状に傾斜して設置された第２の樋板６１と、この第２の樋板６１の先端に一端が連接されて第２の樋板６１の下方に第１の樋板６１の傾斜方向と同方向へ先下り状に傾斜して設置された第３の樋板６２とが形成され、第１の樋板６０の先端部は賞品球払い出しユニット４５のセ−フ球検出口５６の前側に配設され、第２の樋板６１の先端部は第１の樋板６０の左右方向中央部の上方に配設されている。
【００５１】
裏枠４０の下枠部４０ｂの前後壁板５８，５９間で第１の樋板６０上および第２の樋板６１上には遊技盤１２の裏面を伝って転動してセ−フ球誘導流路３５から転落したセ−フ球を集めてセ−フ球検出口５６へ誘導するセ−フ球集合通路６３がスピ−カ−１７を避けた状態で形成されている。
【００５２】
このセ−フ球集合通路６３はスピ−カ−１７を避けて形成されているので、セ−フ球集合通路６３を通行するセ−フ球がスピ−カ−１７の磁力の影響を受けてセ−フ球集合通路６３でのセ−フ球の円滑な流れが妨げられたり、セ−フ球集合通路６３で球詰まりが発生する不具合を回避することができる。
【００５３】
下枠部４０ｂの前壁板５８の裏面には第１の樋板６０上を転動するセ−フ球の転動方向に沿ってそれぞれ延長されて第１の樋板６０の上方に並行状に配列され、第１の樋板６０上を転動するセ−フ球を整然と直進通行させる機能と、第１の樋板６０上へ落下したセ−フ球の落下衝撃を緩衝する機能とを有する複数個のガイド突条６７が凸設されている。
【００５４】
後壁板５９にはセ−フ球集合通路６３を通行するセ−フ球およびセ−フ球集合通路６３での異常の有無を監視する適数個の第２の透視孔６４が開設されている。
【００５５】
前後壁板５８，５９間の下端部で賞品球払い出しユニット４５側の端部付近には基端部がセ−フ球検出口５６の前側に配設されて先端部が前記遊技球集合樋２９の上方に配設され、内方へ先下り状に傾斜した状態で前後壁板５８，５９にそれぞれ連接された第４の樋板６５と、この第４の樋板６５の下方に設置されて前後壁板５８，５９にそれぞれ連接された第５の樋板６６とが形成され、第４の樋板６５上にはセ−フ球検出口５６内から転がり出たセ−フ球を内方へ誘導するセ−フ球誘導通路６９が形成されている。
【００５６】
セ−フ球検出口５６から放出されたセ−フ球は第４の樋板６５上の基端部上へ転がり落ちて第３の樋板６５上のセ−フ球誘導通路６９を通行し、第４の樋板５４の先端部上から転落して遊技球集合樋２９内へ落入し、パチンコ機外へ排出される。
【００５７】
後壁板５９の下端部には第４の樋板６５の先端付近の後側に配設された透視窓５９ａが開設され、前壁板５８の裏面で第３の樋板６５の若干上方にはこの第４の樋板６５上へ転がり落ちたセ−フ球を整然と直進通行させるガイド突条６８が第４の樋板６５に沿って突出形成されている（図９参照）。
【００５８】
裏枠４０の下枠部４０ｂの後壁板５９の中央部付近にはベル６８が取付けられるとともに、後壁板５９の裏面には後壁板５９の約半分をカバ−する前方開放の箱形状の裏カバ−板７０がビスによって取外し可能に取付けられている。
【００５９】
図８において、裏カバ−板７０にはその後端部に垂立された後壁部７０ａと、この後壁部７０ａの上端縁に連接されてその前方へ突出された上壁部７０ｂと、後壁部７０ａの下端縁に連接されてその前方へ突出された下壁部７０ｃと、後壁部７０ａの外端縁に連接されてその前方へ突出された外側壁部７０ｄと、後壁部７０ａの内端縁に連接されてその前方へ突出された内側壁部７０ｅとが形成されている。
【００６０】
裏カバ−板７０の外側壁部７０ｄの上端および下端付近には賞品球払い出しユニット４５の上球出口５４の内側に隣設された上球入口７０ｆと、下球出口５５の内側に隣設された下球入口７０ｇとが開口されている。
【００６１】
裏カバ−板７０の後壁部７０ａの方面には上壁部７０ｂの下方に内方へ先下り状に傾斜して設置されて外端縁が上球入口７０ｆの下開口縁に連接された第１の樋部７２と、この第１の樋部７２の内端縁に連接されて第１の樋部７２の内端付近の下方に外方へ先下り状に傾斜して設置された第２の樋部７３と、第１の樋部７２の内方にほぼ円弧状に湾曲した状態で設置された第３の樋部７４と、第２の樋部７３の下方に第２の樋部７３と並行状に傾斜して設置された第４の樋部７５と、この第４の樋部７５の外端縁に連接されてその下方にほぼ直立状に設置された第５の樋部７６と、この第５の樋部７６の下端縁に連接されて第４の樋部７５の下方に内方へ先下り状に傾斜して設置された第６の樋部７７と、第５の樋部７６の外方および下方に上部が直立状で中央部および下部がほぼＳ形状に湾曲して設置され、下端縁が下壁部７０ｃに連接された第７の樋部７８と、この第７の樋部７８の上端付近の外方にほぼ水平状に設置されて外端縁が外側壁部７０ｄに連接され、上面が前先下り状に傾斜した複数本の突条７９ａが上面に凸設された第８の樋部７９とが連接されている。
【００６２】
裏カバ−板７０の第８の樋部７９の前端縁はこの第８の樋部７９上へ転落した賞品球が前記後賞品球口５７内へ導入されるように前記後賞品球口５７の下端の後方に配設され、下壁部７０ｃの前端縁の左右方向の中央部付近および第７の樋部７８の下端の内方の部位はその上へ転落した賞品球が遊技球集合樋２９内および賞品球集合樋２６内へ導入されるように賞品球集合樋２６の後壁部２６ｂの上端縁の若干上方に配設されている。
【００６３】
裏カバ−板７０内には複数個所でカ−ブした形状を有し、賞品球払い出しユニット４５から送り出された賞品球が通行する賞品球誘導通路８０が各樋部７２〜７９および各壁部７０ａ〜７０ｅによって形成され、裏カバ−板７０内へ導入された賞品球のうち、賞品球誘導通路８０の上部を通行して第８の樋部７９上へ転落した賞品球は後賞品球口５７，前賞品球口２０，上皿口６ａを通り抜けて上皿６内へ送り込まれる。
【００６４】
また、賞品球誘導通路８０の上部および下部を通行して下壁部７０ｃ上へ転落した賞品球は賞品球集合樋２６内へ落入して賞品球集合樋２６内，賞品球排出樋２９内および下皿口７ａを通り抜け、下皿７内へ送り込まれる。セ−フ球集合通路６３と、賞品球誘導通路８０とはこの両通路６３，８０を仕切る垂直な平面状の分離面（後壁板５９の設置面）８７を挟んで積層されている。
【００６５】
裏カバ−板７０内の下端部で下壁部７０ｃ上の中央部の外方には球抜き時に下球入口７０ｇを通って裏カバ−板７０内へ導入された賞品球を遊技球排出通路３２へ誘導する球抜き通路８５が形成されている。
【００６６】
賞品球払い出しユニット４５の振り分け弁５１を操作すると、下球出口５５を通って送り出された抜き球は下球入口７２を通って裏カバ−板７０内へ導入され、球抜き通路８５を通行して遊技球排出通路３０へ誘導され、遊技球排出口３３を通ってパチンコ機外へ排出される。
【００６７】
裏カバ−板７０の後壁部７０ａには第８の樋部７９の上方に配設されて上皿口６ａへ送り込まれる賞品球およびその充填状態を監視する複数個の第３透視孔８１と、下壁部７０ｃの内端部の上方に配設されて賞品球排出通路３２へ送り込まれる賞品球およびその通過状態を監視する第４の透視孔８２と、下壁部７０ｃの中央部の上方に配設されて球抜き通路８５を通行する抜き球およびその通過状態を監視する第５の透視孔８３とが開設されるとともに、裏カバ−板７０には前記セ−フ球誘導通路６９を通行するセ−フ球およびその通過状態を監視する１対の横長状の透視窓８４が開設されている。
【００６８】
上記した構成を有するパチンコ機において、遊技盤１２の前側には遊技盤面１２ａに向って打出されて、遊技盤面１２ａを伝って転動するセ−フ球およびアウト球が通過する第１層の球流路系が形成され、遊技盤１２の内部には遊技盤１２を通り抜けるセ−フ球およびアウト球が通過する第２層の球流路系が形成され、遊技盤１２の裏側には遊技盤１２を通り抜けて遊技盤１２の裏面を伝って転動するセ−フ球が通過する第３層の球流路系が形成され、遊技盤１２の下方には遊技者に払い出される賞品球と、第３層の球流路系を通り抜けたセ−フ球と、第２層の球流路系を通り抜けたアウト球とが通過する第４層の球流路系が形成されている。
【００６９】
本例では、ベ−ス枠９に取外し可能に結合された裏枠４０の下枠部４０ｃの後壁板５９の前側には遊技盤１２を通り抜けて遊技盤１２の裏面を伝って転落するセ−フ球を誘導するセ−フ球誘導流路３５から転落したセ−フ球を集めてセ−フ球検出口５６へ誘導するセ−フ球集合通路６３を形成し、裏枠４０の後壁板５９に取外し可能に取付けられた裏カバ−板７０内には賞品球払出流路４９から送り出されて遊技者に払い出される賞品球をベ−ス枠９に形成した前賞品球口２０および賞品球排出通路３２へ誘導する賞品球誘導通路８０と球抜き通路８５とを形成し、遊技盤１２にはアウト口３６を通り抜けたアウト球をベ−ス枠９に形成した遊技球排出通路３０へ誘導するアウト球誘導溝３７を凹設してある。
【００７０】
このため、遊技盤１２の裏側から転落したセ−フ球と、アウト口３６に落入したアウト球と、賞品球とを分離面８７によって前後方向に分離させて相互干渉を無くした状態で的確かつ円滑に処理することができ、パチンコ機内での遊技球および賞品球の流れを的確に制御することができる。
【００７１】
また、アウト球誘導通路を遊技盤１２の内部に形成してあるので、アウト球の通路が占めるスペ−スを節減することができる。
【００７２】
また、賞品球誘導通路８０および球抜き通路８５が内部に形成された裏カバ−板７０を裏枠４０の下枠部４０ｂの後壁板５９に取外し可能に取付けてあるので、賞品球誘導通路８０若しくは球抜き通路８５で球詰まり等の異常が発生したときに裏カバ−板７０を取外すことによってその異常を簡単に修復することができる。
【００７３】
さらに、図８に示すように、セ−フ球集合通路６３を直線状に形成し、賞品球誘導通路８０を複数個所でカ−ブした形状に形成してあるので、セ−フ球がセ−フ球集合通路６３へ導入されてから賞品球払い出し機構が起動するまでの時間を短縮することができ、また、賞品球誘導通路８０を通行する賞品球による衝撃を緩和，吸収することができる。
【図面の簡単な説明】
【図１】  本発明の１実施例を示すパチンコ機の正面図である。
【図２】  同じく、裏面図である。
【図３】  同じく、分解側面図である。
【図４】  ベ−ス枠の裏面図である。
【図５】  ベ−ス枠の要部の拡大正面図である。
【図６】  ベ−ス枠の要部の拡大裏面図である。
【図７】  裏枠の裏面図である。
【図８】  裏枠の要部の拡大裏面図である。
【図９】  図３のＸ１−Ｘ１線拡大矢視図である。
【図１０】  図９のＸ２−Ｘ２線拡大断面図である。
【符号の説明】
１  木枠
９  ベ−ス枠
１２  遊技盤
２０  賞品球口
３２  賞品球排出通路
３７  セ−フ球誘導溝
４０  裏枠
４９  賞品球払出流路
６３  セ−フ球集合通路
８０  賞品球誘導通路
８５  球抜き通路
８７  分離面
【図１】
0003666898.tif 000002
【図２】
0003666898.tif 000003
【図３】
0003666898.tif 000004
【図４】
0003666898.tif 000005
【図５】
0003666898.tif 000006
【図６】
0003666898.tif 000007
【図７】
0003666898.tif 000008
【図８】
0003666898.tif 000009
【図９】
0003666898.tif 000010
【図１０】
0003666898.tif 000011